(57)【要約】      （修正有）【課題】ケースに対し端子箱の回転範囲を拡大させた端子箱付き装置を提供する。【解決手段】端子箱付き装置としての電磁弁１は、ケース２と、ケースに支持された端子台３と、ケースに３６０度回転可能に取り付けられ、外部電線４と端子台との接続点を保護する端子箱５と、端子箱の回転を許容しかつ端子箱がケースから外れることを防止する取付具６と、を備える。取付具は、端子箱の環状凹溝５３に嵌まる分割リング７ａ、７ｂからなる抜け止め部材と、抜け止め部材の環状凹溝外に位置付けられた部分をケースとの間に挟むフランジ部材８と、フランジ部材とケースとを固定するボルト１１と、を備える。【選択図】図１２
0003221304.tif 000002
【実用新案登録請求の範囲】
【請求項１】
ケースと、
前記ケースに支持された端子台と、
前記ケースに回転可能に取り付けられ、外部電線と前記端子台との接続点を保護する端子箱と、
前記端子箱の回転を許容しかつ該端子箱が前記ケースから外れることを防止する取付具と、を備え、
前記端子箱は、一端側が前記ケース内に挿入され他端側が前記ケース外に位置付けられる円筒部と、該円筒部の外周面から延設され前記ケース外に位置付けられる外部電線案内部と、を備え、
前記円筒部の外周面には、その全周にわたって環状凹溝が形成されており、
前記取付具は、一部が前記環状凹溝内に位置付けられその余の部分が前記環状凹溝外に位置付けられる抜け止め部材と、前記抜け止め部材の前記その余の部分を前記ケースとの間に挟むフランジ部材と、前記フランジ部材と前記ケースとを固定する固定部材と、を備え、
前記端子台は、前記円筒部の内側に位置付けられており、
前記端子箱は、前記ケース及び前記端子台に対し、前記円筒部の周方向に沿って３６０度回転可能であり、
前記外部電線は、前記外部電線案内部を通されて前記円筒部内の前記端子台に接続される
ことを特徴とする端子箱付き装置。
【請求項２】
前記固定部材がボルトであり、当該ボルトの軸と前記円筒部の中心軸とが平行である
ことを特徴とする請求項１に記載の端子箱付き装置。
【請求項３】
前記フランジ部材に、前記円筒部の中心軸と直交する方向に延びたボルト孔が形成され、
前記ボルト孔に螺合される押圧ボルトをさらに備え、
前記押圧ボルトが前記ボルト孔に螺合されることで当該押圧ボルトの先端が前記抜け止め部材を前記円筒部の中心軸側に押圧する
ことを特徴とする請求項１又は２に記載の端子箱付き装置。
【請求項４】
前記抜け止め部材が、リングを分割した複数の分割リングで構成されている
ことを特徴とする請求項１〜３の何れか１項に記載の端子箱付き装置。
【請求項５】
前記ケース内に、弁孔を開閉するプランジャと、該プランジャを電磁駆動するソレノイドと、を備え、
前記外部電線を介して前記ソレノイドに電圧が印加される電磁弁である請求項１〜４の何れか１項に記載の端子箱付き装置。
【考案の詳細な説明】
【技術分野】
【０００１】
本考案は、外部電線との接続点を保護する端子箱を備えた端子箱付き装置に関するものである。
【背景技術】
【０００２】
端子箱付き装置の一例として、電磁弁本体と、端子箱と、を備えた電磁弁がある。電磁弁本体は、弁孔を開閉するプランジャ、該プランジャを電磁駆動するソレノイド、これらを収容したケース等を備えている。端子箱は、電磁弁本体のケースに取り付けられる管状の部材であり、ソレノイドに通電を行う外部電線をその内側に通して案内する（例えば特許文献１を参照。）。
【０００３】
上述した電磁弁として、電磁弁本体のケースに対して端子箱が回転可能に取り付けられたものがある。当該電磁弁においては、外部電線が接続される端子台が端子箱内に固定されており、この端子台が内部電線によってソレノイド側と接続されている。このような電磁弁においては、ユーザーが端子箱の角度を変更することができるので、外部電線の配線時等に当該外部電線の取り回しを容易にすることができる。
【先行技術文献】
【特許文献】
【０００４】
【特許文献１】特開２００４−２４５３８７号公報
【考案の概要】
【考案が解決しようとする課題】
【０００５】
しかしながら、上述した端子箱が回転可能な電磁弁においては、端子台とソレノイド側とを接続した内部電線の過度のねじれによる断線を避けるため、端子箱の回転角度に制限があり、端子箱の回転範囲をさらに拡げるという点において改善の余地があった。また、電磁弁等の機器は、耐圧防爆性が求められる場合があるが、耐圧防爆性を満たした上で端子箱の回転範囲を拡大させることは容易ではなかった。なお、これらのことは、電磁弁以外の端子箱付き装置においても同様に言えることである。
【０００６】
そこで、本考案は、ケースに対し端子箱の回転範囲を拡大させた端子箱付き装置を提供することを課題とする。
【課題を解決するための手段】
【０００７】
本考案の端子箱付き装置は、ケースと、前記ケースに支持された端子台と、前記ケースに回転可能に取り付けられ、外部電線と前記端子台との接続点を保護する端子箱と、前記端子箱の回転を許容しかつ該端子箱が前記ケースから外れることを防止する取付具と、を備え、前記端子箱は、一端側が前記ケース内に挿入され他端側が前記ケース外に位置付けられる円筒部と、該円筒部の外周面から延設され前記ケース外に位置付けられる外部電線案内部と、を備え、前記円筒部の外周面には、その全周にわたって環状凹溝が形成されており、前記取付具は、一部が前記環状凹溝内に位置付けられその余の部分が前記環状凹溝外に位置付けられる抜け止め部材と、前記抜け止め部材の前記その余の部分を前記ケースとの間に挟むフランジ部材と、前記フランジ部材と前記ケースとを固定する固定部材と、を備え、前記端子台は、前記円筒部の内側に位置付けられており、前記端子箱は、前記ケース及び前記端子台に対し、前記円筒部の周方向に沿って３６０度回転可能であり、前記外部電線は、前記外部電線案内部を通されて前記円筒部内の前記端子台に接続されることを特徴とする。
【考案の効果】
【０００８】
本考案によれば、端子台がケースに支持されていることから端子箱を回転させても端子台は回転せず、加えて、上記構成の取付具を備えていることから端子箱を３６０度回転させることが可能となり、端子箱の回転範囲を拡大させることができる。
【図面の簡単な説明】
【０００９】
【図１】本考案の一実施形態にかかる「端子箱付き装置」としての電磁弁の平面図である。
【図２】図１の電磁弁の斜視図である。
【図３】図１の電磁弁を構成するフランジ部材の図であり、（ａ）はフランジ部材の正面図、（ｂ）は（ａ）中のＢ−Ｂ線断面図、（ｃ）はフランジ部材の背面図である。
【図４】図１の電磁弁を構成する抜け止め部材の図であり、（ａ）は抜け止め部材の正面図、（ｂ）は（ａ）中のＣ−Ｃ線断面図である。
【図５】図１の電磁弁の分解図であり、図１中のＡ−Ａ線に沿った断面における分解図である。
【図６】図５のボルトをフランジ部材に組んだ図である。
【図７】図６のフランジ部材を端子箱に組んだ図である。
【図８】図７の分割リングを端子箱の環状凹溝に嵌めた図である。
【図９】図８の端子箱をケースに組んだ図である。
【図１０】図９のフランジ部材とケースをボルトで固定した図である。
【図１１】図１０の押圧ボルトをフランジ部材のボルト孔に螺合させた図である。
【図１２】図１１の端子台に外部電線が接続された図である。
【考案を実施するための形態】
【００１０】
本考案の一実施形態にかかる「端子箱付き装置」を、図１〜１２を参照して説明する。本例では、「端子箱付き装置」が「電磁弁」に適用された例について説明する。
【００１１】
図１〜１２に示す「端子箱付き装置」としての電磁弁１は、ケース２と、ケース２に支持された端子台３と、ケース２に回転可能に取り付けられた端子箱５と、端子箱カバー９と、取付具６と、ケース２内に収容されたプランジャ、ソレノイド、基板１４、支持部材１５等を備えている。この電磁弁１は、外部電線４（図１２に示す）、端子台３、基板１４等を介してソレノイドに電圧が印加され、このソレノイドがプランジャを電磁駆動することで、不図示の流路を開閉する。
【００１２】
ケース２は、金属で構成されており、円筒状の本体部２１と、本体部２１の一端に環状かつ鍔状に形成されたフランジ部２２と、を一体に備えている。フランジ部２２には、複数のボルト孔２３が形成されている。これらボルト孔２３は、フランジ部２２の周方向に等間隔をあけて配置されている。各ボルト孔２３は、フランジ部２２を本体部２１の中心軸方向に貫通している。このボルト孔２３には、後述するフランジ部材８とケース２とを固定するためのボルト１１が螺合される。
【００１３】
端子台３は、外部電線４が接続される部品である。本例では、電源線２本と信号線２本の計４本の外部電線４が端子台３に接続される。なお、これら外部電線４の本数や種類は本考案の一例であり、例えば電源線が３本接続される構成であってもよい。この端子台３は、基板１４に搭載されている。基板１４は、内部電線等を介してソレノイドと接続されている。また、基板１４は、支持部材１５を介してケース２に固定されている。このように端子台３は、基板１４及び支持部材１５を介してケース２に支持されている。また、端子台３は、本体部２１一端の開口部からケース２の外部に突出している。
【００１４】
端子箱５は、外部電線４と端子台３との接続点を保護する部材であり、金属で構成されている。端子箱５は、円筒部５１と、外部電線案内部５２ａ，５２ｂと、を一体に備えている。
【００１５】
円筒部５１は、円筒状に形成されており、一端側がケース２内に挿入され他端側がケース２外に位置付けられる。円筒部５１の他端側の開口部は、金属製の端子箱カバー９によって塞がれる。また、端子箱カバー９は、ボルト１３によって端子箱５に固定される。図５等に示すように、円筒部５１の外周面には、その全周にわたって環状凹溝５３が形成されている。この環状凹溝５３には、後述する抜け止め部材７が嵌められる。
【００１６】
外部電線案内部５２ａ，５２ｂは、円筒部５１他端の外周面から円筒状に延設されており、ケース２外に位置付けられる。外部電線案内部５２ａ，５２ｂの内部空間と円筒部５１の内部空間は連通している。外部電線案内部５２ａ，５２ｂの中心軸は、円筒部５１の中心軸Ｐ（図１１に一点鎖線で示す）に対し垂直である。また、外部電線案内部５２ａの中心軸は、外部電線案内部５２ｂの中心軸に対し垂直である。外部電線案内部５２ａ，５２ｂは、外部電線４をその内側に通して円筒部５１側に案内する。なお、外部電線案内部５２ａ，５２ｂの数や外部電線案内部５２ａ，５２ｂの円筒部５１に対する角度等は適宜設定可能である。また、必ずしも全ての外部電線案内部５２ａ，５２ｂを使用する必要はなく、ユーザー側で使用しない外部電線案内部５２ａ，５２ｂを封止できる構成としてもよい。
【００１７】
このような端子箱５は、ケース２及び端子台３に対し、円筒部５１の周方向に沿って３６０度回転可能となっている。また、ケース２に端子箱５が取り付けられた状態で、端子台３は、円筒部５１の内側に位置付けられている。
【００１８】
取付具６は、端子箱５の回転を許容しかつ該端子箱５がケース２から外れることを防止するものであり、図４に示す抜け止め部材７と、図３に示すフランジ部材８と、複数のボルト（「固定部材」に相当する。）１１と、を備えている。
【００１９】
抜け止め部材７は、本例では、リングを２分割した２つの分割リング７ａ，７ｂで構成されている。分割リング７ａ，７ｂは、金属で構成されている。これら分割リング７ａ，７ｂは、端子箱５の環状凹溝５３に嵌められる。図８等に示すように、分割リング７ａ，７ｂは、内周側の一部が環状凹溝５３内に位置付けられ、その余の部分が環状凹溝５３外に位置付けられる。
【００２０】
フランジ部材８は、金属で構成されており、リング状に形成されている。図３に示すように、フランジ部材８は、中心の孔８０と、孔８０の周囲に形成された複数の第１ボルト孔８１と、隣接する第１ボルト孔８１同士の間に形成された第２ボルト孔８２と、を有している。第１ボルト孔８１及び第２ボルト孔８２は雌ネジである。
【００２１】
孔８０及び複数の第１ボルト孔８１は、フランジ部材８をその中心軸方向に貫通している。第２ボルト孔８２は、フランジ部材８をその外周面から孔８０にかけて貫通している。また、第２ボルト孔８２は、フランジ部材８の中心軸と直交する方向（即ち円筒部５１の中心軸Ｐと直交する方向）に延びている。孔８０は、円筒部５１の外径寸法に対応した小径部８０ａと、小径部８０ａよりも大径である大径部８０ｂと、により構成されている。小径部８０ａと大径部８０ｂとの境界部には、段差面８０ｃが形成されている。段差面８０ｃは、フランジ部材８の中心軸に対し垂直である。
【００２２】
このようなフランジ部材８は、図１０等に示すように、孔８０内に円筒部５１及び抜け止め部材７（即ち分割リング７ａ，７ｂ）を位置付け、抜け止め部材７をケース２のフランジ部２２との間に挟む。詳細には、抜け止め部材７の環状凹溝５３外に位置付けられた部分（即ち「その余の部分」）が段差面８０ｃとフランジ部２２との間に挟まれる。
【００２３】
ボルト１１は、図１１に示すように、軸部１１ａと頭部１１ｂとを有しており、軸部１１ａが第１ボルト孔８１及びボルト孔２３に螺合することで、フランジ部材８とケース２とを固定する。また、本例では、図１１に示すように、ボルト１１の軸１１ａと円筒部５１の中心軸Ｐとが平行である。ボルト１１の締結方向をこのようにすることで、フランジ部材８とフランジ部２２との組付け強度を高めることができる。
【００２４】
このように取付具６は、抜け止め部材７を環状凹溝５３内に位置付けることで、端子箱５の回転を許容しつつ端子箱５の抜け止めを行う。また、端子箱５の回転角度に関しては、３６０度以上の回転も勿論可能であり、回転角度に制限はない。この取付具６を備えた電磁弁１は、耐圧防爆性能（電磁弁１内部で爆発性ガスの爆発が起こった場合、ケース２、端子箱５等の容器がその圧力に耐え、かつ、外部の爆発性ガスへの爆発の伝播を防止する性能）を満たした上で端子箱５を無制限に回転させることができる。
【００２５】
電磁弁１は、第２ボルト孔８２に螺合される押圧ボルト１２をさらに備えている。押圧ボルト１２は、ボルト孔８２に螺合されることでその先端が抜け止め部材７を円筒部５１の中心軸Ｐ側に押圧する。このように押圧ボルト１２の先端が抜け止め部材７を押圧することで、抜け止め部材７と端子箱５との摩擦力を高めることができ、端子箱５の回転を規制することができる。即ち、押圧ボルト１２をきつく締め付けることで、端子箱５を回転不能にすることができる。
【００２６】
本例では、分割リング７ａに対応した第２ボルト孔８２と、分割リング７ｂに対応した第２ボルト孔８２とがそれぞれ形成されており、各第２ボルト孔８２に螺合される複数の押圧ボルト１２を備えている。
【００２７】
続いて、上述した電磁弁１の組立て方法を図５〜１１を参照して説明する。まず、予め、図５に示すように、端子箱カバー９を端子箱５に組付けておく。また、予め、図５に示すように、プランジャ、ソレノイド、内部電線、支持部材１５、基板１４、端子台３等の各種部品をケース２に組付けておく。次に、図６に示すように、ボルト１１をフランジ部材８の第１ボルト孔８１に組む。次に、図７に示すように、フランジ部材８を端子箱５に組む。次に、図８に示すように、分割リング７ａ，７ｂを端子箱５の環状凹溝５３に嵌める。次に、図９に示すように、端子箱５をケース２に組む。次に、図１０に示すように、フランジ部材８とケース２をボルト１１で固定する。次に、図１１に示すように、押圧ボルト１２をフランジ部材８の第２ボルト孔８２に組む。これらの工程を経て電磁弁１の組立てが完了し、出荷可能状態となる。
【００２８】
図１１に示す電磁弁１をプラント等に組み込んで設置する際は、ケース２側を配管等に接続し、外部電線４を端子台３に接続する。外部電線４を接続する際は、押圧ボルト１２を緩めて端子箱５を回転可能状態にする。そして、端子箱５を所望の角度に位置決めした後、押圧ボルト１２を締めて端子箱５を回転不能状態にする。そして、端子箱カバー９を一旦取外し、外部電線４を外部電線案内部５２ａ，５２ｂから円筒部５１内に引き込んで端子台３に接続する。その後再び端子箱カバー９を端子箱５に組付けて完了となる。なお、メンテナンス時などには、押圧ボルト１２を緩めることで再び端子箱５を回転可能状態にすることが可能である。本例の電磁弁１は、押圧ボルト１２を緩めた状態であっても所定の耐圧防爆性能を維持している。
【００２９】
上記構成の電磁弁１は、端子台３を搭載した基板１４が支持部材１５によってケース２に固定されているので、端子箱５を回転させても端子台３や基板１４に接続された内部電線は回転せず、内部電線が断線するおそれがない。これに加えて上述した取付具６を用いることにより、耐圧防爆性能を満たした上で、ケース２に対し端子箱５を３６０度（無制限に）回転させることが可能となる。このような電磁弁１は、外部電線４の配線時等に当該外部電線４の取り回しを容易にすることができる。
【００３０】
上述した実施形態では、抜け止め部材７がリングを２分割した２つの分割リング７ａ，７ｂで構成されていたが、本考案の「抜け止め部材」は、上記実施形態の構成に限定されず、例えば、リングを３以上に分割した３以上の分割リングで構成されていてもよい。また、本考案の「抜け止め部材」は分割リングの他、Ｅリング等の既成部品を用いてもよい。さらに、「抜け止め部材」の断面形状はくさび形状であってもよい。
【００３１】
上述した実施形態では、「端子箱付き装置」が「電磁弁」に適用された例について説明したが、本考案の「端子箱付き装置」は、電磁弁以外の装置に適用されてもよい。
【００３２】
上記実施形態は本考案の代表的な形態を示したに過ぎず、本考案は、当該実施形態に限定されるものではない。即ち、当業者は、従来公知の知見に従い、本考案の骨子を逸脱しない範囲で種々変形して実施することができる。かかる変形によってもなお本考案の構成を具備する限り、勿論、本考案の範疇に含まれるものである。
【符号の説明】
【００３３】
１    電磁弁（端子箱付き装置）
２    ケース
３    端子台
４    外部電線
５    端子箱
６    取付具
７    抜け止め部材
８    フランジ部材
１１  ボルト（固定部材）
５１    円筒部
５２ａ，５２ｂ    外部電線案内部
５３    環状凹溝
【図１】
0003221304.tif 000003
【図２】
0003221304.tif 000004
【図３】
0003221304.tif 000005
【図４】
0003221304.tif 000006
【図５】
0003221304.tif 000007
【図６】
0003221304.tif 000008
【図７】
0003221304.tif 000009
【図８】
0003221304.tif 000010
【図９】
0003221304.tif 000011
【図１０】
0003221304.tif 000012
【図１１】
0003221304.tif 000013
【図１２】
0003221304.tif 000014